(57)【要約】【課題】非常に簡便な構成及び方法で使われていないスペースを利用し、収納のスペースを確保することが可能な収納具を提供すること。また、軽量で、しかも在庫時や輸送時、あるいは使用しないときにはコンパクトに収納することができる収納具を提供すること。【解決手段】収納ラックの水平線材から吊り下げられる複数のベルトと、前記複数のベルト間に差し渡され該ベルトに対して着脱自在に固定される収納部材とを備え、前記ベルトは、長手方向に所定の間隔をおいて複数の係止孔が形成されており、前記収納部材は、任意の前記係止孔に着脱自在に固定されることによって、複数のベルト間に差し渡され、取り付けられているようにした。【選択図】  図１
2011160923.tif 000002
【特許請求の範囲】
【請求項１】
収納ラックの水平線材から吊り下げられる複数のベルトと、
前記複数のベルト間に差し渡され該ベルトに対して着脱自在に固定される収納部材とを備え、
前記ベルトは、長手方向に所定の間隔をおいて複数の係止孔が形成されており、
前記収納部材は、任意の前記係止孔に着脱自在に固定されることによって、複数のベルト間に差し渡され、取り付けられていることを特徴とする収納具。
【請求項２】
ベルトは、長手方向に所定の間隔をおいて複数の係止孔が形成されたバンド部の１端部に該バンド部の他端部を挿通可能な環状締結部が設けられてなり、
前記バンド部を前記水平線材に巻きつけ、前記環状締結部に前記バンド部の他端部を挿通した後、下方に引っ張るようにして、ベルトを水平線材から吊り下げられるようにしたことを特徴とする請求項１記載の収納具。
【請求項３】
複数のベルト間に差し渡され、その両端部が前記ベルトの係止孔に対して着脱自在に固定されている横棒部材を更に備えることを特徴とする請求項１又は２記載の収納具。
【発明の詳細な説明】
【技術分野】
【０００１】
本発明は、いわゆるメタルラックなどの収納家具が備える水平棒部材に取り付けて、小物などを整理して収納するための収納具に関するものである。
【背景技術】
【０００２】
従来から、一般に「メタルラック」と呼ばれる収納ラックがある。これは、金属製のパイプ材などで形成される複数の支柱部材と、当該支柱部材間に差し渡すようにして、高さ調節可能に取り付け・取り外しが可能な複数の棚部材とを備えた収納家具であり、現在では非常に多くの家庭、オフィスなどで利用されている。
【０００３】
多くのメタルラックは３本乃至４本の支柱部材を備えている。また、メタルラックの棚部材においては、金属製の線材を格子状に組み合わせて板状に形成されたものが多く使用されている。そして、このような構成により、メタルラックの背面、および両側面は板状部材で閉鎖されておらず、開口状態となされている。
【０００４】
このメタルラックにおいては、各棚部材が高さ調節可能となっており、これを調節することで高さ方向における収納スペースの有効利用が可能となっている点において非常に優れている。
【０００５】
また、更に収納スペースを増やすために、様々な工夫が試みられている。例えば、下記特許文献１には、簡単な構成によって、容易にメタルラックの支柱および棚部材を既設のメタルラックに対して増設できるようにする増設用ラックの発明が記載されている。
【先行技術文献】
【特許文献】
【０００６】
【特許文献１】特開２００４−９７３２８号公報
【発明の概要】
【発明が解決しようとする課題】
【０００７】
しかしながら、上記特許文献１記載の発明によれば、増設されるラック部材を設置するための十分なスペースが必要であり、また増設部分の組立てには、慎重な作業が必要であった。さらに、増設部分が不要となって、その部分を取り外して収納しておく必要がある場合、増設用の支柱や棚部材など、大きな部材を収納する大きなスペースが必要になっていた。また、増設用ラックの各部材は、既設のメタルラックと同じ規格のものでなければならない。すなわち、支柱の外径などが一致している必要があり、同じ増設用ラックを様々な既設のメタルラックに適用できるものではなかった。
【０００８】
本発明は、上記のような問題点を克服するためになされたものであり、非常に簡便な構成及び方法で使われていないスペースを利用し、収納のスペースを確保することが可能な収納具を提供することを目的とする。
【０００９】
また、本発明は、軽量で、しかも在庫時や、輸送時、あるいは使用しないときにはコンパクトに収納することができる収納具を提供することを目的とする。
【００１０】
さらに、本発明は、水平線材を有するメタルラックであれば、どのような形状、大きさの既設メタルラックにも取り付け可能であり、かつ容易に設置できる収納具を提供することを目的とする。
【課題を解決するための手段】
【００１１】
上記の目的を達成するため、本発明の収納具は、収納ラックの水平線材から吊り下げられる複数のベルトと、前記複数のベルト間に差し渡され該ベルトに対して着脱自在に固定される収納部材とを備え、前記ベルトは、長手方向に所定の間隔をおいて複数の係止孔が形成されており、前記収納部材は、任意の前記係止孔に着脱自在に固定されることによって、複数のベルト間に差し渡され、取り付けられていることを特徴とする。
【００１２】
ここで「収納ラック」は、所謂メタルラックなど、ベルトを吊下げ可能な水平線材を備えるものである。また、上記「収納部材」は、ベルト間に差し渡して取り付け可能であり、バッグや日用品、その他小物など、収納すべき物品を整理、収納できるものであれば、どのような形状のものでもよく、例えば棚状の部材であってもよいし、ボックス形状の部材、あるいは棒状の部材などでも良い。
【００１３】
本発明の収納具によれば、例えば既設のメタルラックの側面に本発明の収納具を取り付けて、小物などを収納でき、これまで利用されていなかったスペースの有効利用を図ることが可能となる。メタルラックの棚部材が備える水平線材から本発明に係る収納具の複数のベルトを吊り下げ、これに収納部材を取り付けて収納具を構成することができるので、収納具を設置する広いスペースを確保する必要がなく、また、水平線材を備える様々な形状、大きさの収納ラックに対して本発明に係る収納具を取り付けることができる。しかも、取り付け、取り外しが容易である。
【００１４】
また、ベルトに複数の係止孔が形成されており、かつ収納部材は任意の係止孔に対し着脱可能に取り付けられるので、収納すべき物品の種類や収納したい位置に応じて簡単に収納部材の配置変更ができる。
【００１５】
さらに、本発明の収納具によれば、ベルトを使用しているため軽量であり、かつ在庫、輸送時にはコンパクトに収納することができるので、在庫、輸送にかかるコストを削減できる。また、この収納具を使用しないときには、コンパクトに収納して置いておくことが可能である。
【００１６】
また、本発明に係る収納具において、ベルトは、長手方向に所定の間隔をおいて複数の係止孔が形成されたバンド部の一端部に該バンド部の他端部を挿通可能な環状締結部が設けられてなり、前記バンド部を前記水平線材に巻きつけ、前記環状締結部に前記バンド部の他端部を挿通した後、下方に引っ張るようにして、ベルトを水平線材から吊り下げられるようにするのが好ましい。
【００１７】
また、上記「環状締結部」は、角カン、Ｄカン、丸カンなど、バンドを挿通可能な環状の金具であり、バンドを挿通可能であれば、任意の寸法、形状のものを適宜使用できる。また、この環状締結部に係止部を備え、この係止部が、バンド部に形成した係止孔に係止できるようにしてもよい。このようにすれば、水平線材から吊り下げたベルトの環状締結部を下方に引っ張り、係止部をバンド部の係止孔に係止すれば、吊り下げたバンドの長さ調節が可能となる。
【００１８】
このようにすれば、ベルトを水平線材に巻きつけるようにして吊るすので、どのような形状、太さの水平線材にも容易に取り付け可能である。また、ベルトを巻きつけるので、本発明に係る収納具が収納ラックから容易には脱落しない。
【００１９】
さらに、本発明に係る収納具において、複数のベルト間に差し渡され、その両端部が前記ベルトの係止孔に対して着脱自在に固定されている横棒部材を更に備えるようにしてもよい。
【００２０】
このようにすれば、隣り合って吊り下げられているバンド間の距離を一定に保ちつつ、小物などを掛けるためのハンガーバーとして使用することができる。しかも、ベルトの係止孔を収納部材の取り付け用としても、また横棒部材の取り付け用としても利用（共用）でき、また横棒部材は、この係止孔に対して着脱自在に固定されているので、収納部材の取付位置と調整しながら容易に横棒部材の取付位置を変更することが可能となる。
【発明の効果】
【００２１】
以上のとおり、本発明に係る収納具によれば、既設の収納ラックの側面などに本発明の収納具を取り付けて小物などを収納することができ、これまで利用されていなかったスペースの有効利用を図ることが可能となる。収納ラックの棚部材が備える水平線材から本発明に係る収納具の複数のベルトを吊り下げ、これに収納部材を取り付けて収納具を構成することができるので、収納具を設置する広いスペースを確保する必要がなく、また、水平線材を備える様々な形状、大きさの収納ラックに対して本発明に係る収納具を取り付けることができる。しかも、取り付け、取り外しが容易である。
【００２２】
また、ベルトに複数の係止孔が形成されており、かつ収納部材は任意の係止孔に対し着脱可能に取り付けられるので、収納すべき物品の種類や収納したい位置に応じて簡単に収納部材の配置変更ができる。
【００２３】
さらに、本発明の収納具によれば、ベルトを使用しているため軽量であり、かつ在庫、輸送時にはコンパクトに収納することができるので、在庫、輸送にかかるコストを削減できる。また、この収納具を使用しないときには、コンパクトに収納して置いておくことが可能である。
【図面の簡単な説明】
【００２４】
【図１】本発明に係る収納具の一実施形態を示す斜視図であり、メタルラックに取り付けた状態を示す図である。
【図２】図１に示す収納具の正面図であり、同じくメタルラックに取り付けた状態を示す図である。
【図３】図１に示す収納具の側面図であり、同じくメタルラックに取り付けた状態を示す図である。
【図４】図１に示す収納具の背面図であり、同じくメタルラックに取り付けた状態を示す図である。
【図５】図１に示す収納具につき、収納具のみを表した斜視図である。
【図６】図１に示す収納具につき、収納具のみを表した正面図である。
【図７】図１に示す収納具につき、収納具のみを表した側面図である。
【図８】本発明に係る収納具のベルトの一実施形態を示す図である。
【図９】本発明に係る収納具のベルトを水平線材に吊るした状態を示す説明図である。
【図１０】ベルトを水平線材に取り付けた個所を示す拡大図である。
【図１１】本発明に係る収納具における収納部材の一実施形態（ウォールポケット）を示す図である。
【図１２】本発明に係る収納具における収納部材の一実施形態（ボックス部材）を示す図である。
【図１３】本発明に係る収納具において用いるフック、およびその取付方法の一実施形態を示す説明図である。
【図１４】図１１に示す収納部材（ウォールポケット）をベルトに取り付けた状態を示す説明図である。
【図１５】図１２に示す収納部材（ボックス部材）をベルトに取り付けた状態を示す説明図である。
【図１６】図１２に示す収納部材（ボックス部材）をベルトに取り付けるための他の手段の一実施形態を示す説明図である。
【図１７】本発明に係る収納具における収納部材の一実施形態（横棒部材）を示す図である。
【図１８】図１７に示す収納部材（横棒部材）のベルトへの取付位置における側断面図である。
【図１９】図１７に示す収納部材（横棒部材）をベルトへ取り付ける様子を示す説明図である。
【発明を実施するための形態】
【００２５】
以下、本発明を実施するための形態を、図面に基づいて詳細に説明する。
【００２６】
図１は、本発明に係る収納具の一実施形態を示す図であり、収納ラック、すなわちここでは所謂メタルラックに取り付けた使用状態を示している。
【００２７】
図１〜４に示すとおり、この実施形態の収納具１においては、メタルラック９の棚板９１側面の水平線材９１１に複数のベルト２が吊り下げられている。そして、隣り合うベルト２、２間には、収納部材３、４、及び５を差し渡すように取り付けることにより、収納具１が構成されている。
【００２８】
図１〜４、及び図５〜８に示すように、収納部材３、４、及び５はそれぞれ、横に２列、縦に３段の収納用ポケットを形成したウォールポケット３、物品を載置して収納するための棚を形成した箱型のボックス部材４、及び各種フックやハンガーなどを掛けることのできる横棒部材５である。ウォールポケット３には、書類や手紙など比較的厚みの薄い物品を収納でき、ボックス部材４には、様々な日用品、小物などを自由に載置することができる。また、横棒部材５には、Ｓ字フック８１やハンガーなどを引っ掛けて、バッグや帽子、その他さまざまな小物を吊るすことができるものである。
【００２９】
このウォールポケット３、ボックス部材４、及び横棒部材５は、いずれもその左右両端部において、ベルト２に形成された係止孔２３に対し着脱自在に取り付けられている。それゆえ、前記各収納部材の取り付け位置を簡単に変更でき、また収納部材の数を増やしたり減らしたりすることも容易にできる。
【００３０】
図８は、この実施形態におけるベルト２を示す図である。ベルト２は、長尺のバンド部２１およびバンド部２１の一端に取り付けられた環状締結部２２からなる。バンド部２１は、可撓性の樹脂材料、布（天然繊維や合成繊維を用いた織物、編物）等の材料で作製され、長手方向に所定の間隔を空けて多数の係止孔２３が形成されている。
【００３１】
この実施形態においては、バンド部２１は、ポリプロピレンで作製されたものであり、２００ｍｍの間隔を空けて計７箇所に係止孔２３が形成されている。尚、このバンド部２１は、可撓性があり、軽量で、かつ収納部材３、４、及び５に物品を収納したときにその荷重に耐え得るものであれば、どのような材料も適用可能である。また、係止孔２３を形成する間隔は適宜変更可能である。
【００３２】
係止孔２３の内周縁部には、ハトメ金具２４がカシメ留めされて装着され、当該内周縁部が保護されるようにしてある。また、環状締結部２２には、金属製の角カンを使用しているが、バンド部２１を挿通可能な寸法のものであれば、Ｄカン、丸カンなど、任意の形状のものを使用することができる。
【００３３】
このベルト２は、図９及び図１０に示すように、メタルラック９の棚板９１側面の水平線材９１１に吊り下げられる。すなわち、ベルト２のバンド部２１を水平線材９１１の周囲に回すようにしたのち、バンド部２１の先端部２１２（環状締結部２２が取り付けられている一端部に対する他端部）を環状締結部２２に挿通させ、当該先端部（他端部）２１２を下方に引っ張ることによって、図９及び図１０に示すような状態にベルト２が吊り下げられる。
【００３４】
このように構成することで、水平線材９１１がどのような断面形状のものであっても、またどのような大きさ、太さのものであってもベルト２を容易に吊るすことができる。尚、この収納具１を取り付けるメタルラック９の高さに応じて、ベルト２が長過ぎ、端部が大きく余るようであれば、ハサミ等で切ってしまってもよい。
【００３５】
次に、２本のベルト２間に差し渡され取り付けられる収納部材３、４、及び５について説明する。図１１は、収納部材であるウォールポケット３を、図１２は同じく収納部材であるボックス部材４の一実施形態を示すものである。これらの収納部材は、いずれも左右両端の上端部近傍に取付孔３１、４１が形成されており、図１３に示すフック７をベルト２に取り付けると共に、当該フック７の引掛部７１へ前記取付孔３１、４１を引っ掛けることにより、収納部材３及び４は、ベルト２に取り付けられる（図１４、図１５）。
【００３６】
フック７は、図１３に示すように略Ｓ字形状を有しているが、ベルト２の係止孔２３に係止される掛留部７２は、コの字形状としてあり、また奥行き寸法が引掛部７１の奥行き寸法より小さく形成されている。これは、ベルト２の背面側に大きくフック７が突出してメタルラック９の収納を妨げてしまうのを防止するためである。尚、図１３（イ）は、フック７をベルト２の係止孔２３に係止する様子を示したものであり、同じく（ウ）は、係止させた状態を示したものである。
【００３７】
尚、上記収納部材をベルト２に取り付けるための取付部材として、フック７に替え、例えば図１６に示すように、ネジＬとナットＭとを利用することも可能である。すなわち、収納部材（ボックス部材４）の取付孔４１と、当該収納部材を取り付けたい高さの係止孔２３とが同軸上になるように位置合わせし、この取付孔４１及び係止孔２３にネジを挿通させる。その上で、前記ネジＬにナットＭを螺合させ、収納部材をベルト２に固定する。また、この実施形態においては、ネジＬの先端部がベルト２の背面に突出してメタルラック９に収納した物品を傷つけないよう、キャップＮを被せるようにしてある。無論、ウォールポケット等、他の収納部材についても同様の構成を用いることができる。また、この取付部材としては、上記のような形態に限定されるものではなく、収納部材をベルト２に着脱自在に取り付けることができるものであれば、どのような構成としてもよい。
【００３８】
ウォールポケット３は、図１１及び図１４に示すように、正面視四角形状の本体３２に、横に２列、縦に３段の収納ポケット３３を形成したものである。また、ボックス部材４は、図１２及び図１５に示すように、背面板４２、棚板４３、側壁４４、および前面壁４５を備えていて、これらの部材に囲まれた空間に物品を収納する収納スペース４６を形成している。
【００３９】
このボックス部材４は、不織布で形成されるとともに、背面板４２及び棚板４３には、硬質の芯材が内包されている。また、側面視で背面板４２と棚板４３とのなす角度は、若干鋭角になっている。すなわち、ボックス部材４をベルト２に取り付けた状態において、棚板４３は、背面板４２と接続する端部から前方へ向かって斜め上方に延びるように構成されている。このようにすれば、ボックス部材４に多くの物品を収納し、ボックス部材４が前方に若干傾倒したとしても、物品が落ちてしまう心配がないので好ましい。尚、図１５（ア）は、ボックス部材４をベルト２に取り付けた状態を示したものであり、同じく（イ）は、その取付箇所を拡大して示した図である。
【００４０】
図１７は、横棒部材５の一実施形態を示すものであり、横棒部材５の中央にある棒材５１は、金属製のパイプで構成され、その両端に樹脂製の端部材５２が固定されている。この端部材５２の先端部５２１は略円柱形状のおよそ半分が切り欠かれた半円柱形状となされ、前記切り欠かれた空間に、ベルト２の係止孔２３に係止するためのカギ部５３が形成されている。カギ部５３は、前記先端部の側壁面５２２と直交して水平方向に延びる基部５３１と、基部５３１の先端から基部５３１と直角に上方へ延びる先端部５３２とからなる。また、図１８に示すように、基部５３１の下端（先端部５３２が形成されるのとは反対の側）には、突起部５３３が形成されている。このような構成を備えることにより、非常に簡単な構造で、容易かつ確実に横棒部材５をベルト部材２に係止することが可能となる。
【００４１】
すなわち、この横棒部材５は、図１９（ア）及び（イ）に示すように、カギ部５３がベルト部材２の任意の係止孔２３に挿通され、カギ部５３が係止孔の内周縁部（に設けられたハトメ金具２４）に係合することによって、ベルト２に係止される。この点、カギ部５３の先端部５３２が、ベルト２に形成された係止孔２３の上側の内周縁部に係合する一方、突起部５３３が、係止孔２３の下側の内周縁部に係合することによって、横棒部材５がベルト２から容易に脱落することを防止している。
【００４２】
このようにしてベルト２に取り付けられた横棒部材５は、図１に示すように、これにＳ字フック８１を引っ掛けて、このＳ字フック８１に物品を吊るすようにして使用することができる。また、横棒部材５に収納すべき物品を直接引っ掛けるようにしてもよい。
【００４３】
尚、収納部材としては、上記ウォールポケット３やボックス部材４、および横棒部材５に限られず、例えば網状の収納部材など、様々な形状、構造のものであってよい。また、収納部材のうち、少なくとも一つは、硬質の材料で作製されたものを含むようにすれば、隣接する複数のベルト２の間隔を一定に維持でき、またそれによって他の収納部材の形状も適正な状態に維持できるので好ましい。
【００４４】
以上のように構成した本発明に係る収納具１によれば、複数のベルト２を既設の収納ラック９の棚部材９１に備える水平線材９１１から吊るして、そのベルト２間に収納部材３、４、５を差し渡すように取り付けるだけで、簡単に収納具１を形成し、小物などを収納することができる。これにより、これまで利用されていなかったスペース、すなわち収納ラック９の側面のスペースの有効利用を図ることが可能となる。
【００４５】
この発明に係る収納具１においては、収納具１を設置する広いスペースを確保する必要がなく、また、水平線材９１１を備える様々な形状、大きさの収納ラックに対して本発明に係る収納具１を取り付けることができる。しかも、取り付け、取り外しが容易である。
【００４６】
また、ベルト２に複数の係止孔２３が形成されており、かつ収納部材３、４、及び５は任意の係止孔２３に対し着脱可能に取り付けられるので、収納すべき物品の種類や収納したい位置に応じて簡単に収納部材の配置変更ができる。
【００４７】
さらに、本発明に係る収納具１によれば、可撓性の材料により形成されたベルト２を使用しているため軽量であり、かつ在庫、輸送時にはコンパクトに収納することができるので、在庫、輸送にかかるコストを削減できる。また、この収納具１を使用しないときには、コンパクトに収納して置いておくことが可能である。
【符号の説明】
【００４８】
１  収納具
２  ベルト
２１  バンド部
２２  環状締結部
２３  係止孔
３    ウォールポケット
４    ボックス部材
５    横棒部材
Ｐ    収納ラック（メタルラック）
【図１】
2011160923.tif 000003
【図２】
2011160923.tif 000004
【図３】
2011160923.tif 000005
【図４】
2011160923.tif 000006
【図５】
2011160923.tif 000007
【図６】
2011160923.tif 000008
【図７】
2011160923.tif 000009
【図８】
2011160923.tif 000010
【図９】
2011160923.tif 000011
【図１０】
2011160923.tif 000012
【図１１】
2011160923.tif 000013
【図１２】
2011160923.tif 000014
【図１３】
2011160923.tif 000015
【図１４】
2011160923.tif 000016
【図１５】
2011160923.tif 000017
【図１６】
2011160923.tif 000018
【図１７】
2011160923.tif 000019
【図１８】
2011160923.tif 000020
【図１９】
2011160923.tif 000021